(57)【特許請求の範囲】
【請求項１】
煙突の下端部に煙突の下端部の開口部へ誘導する傾斜した案内板を設け、同案内板の上面に緩衝層を設け、煙突内の補修作業で落下する落下物を前記緩衝層で衝突音・振動を小さくして受け止めて煙突外部に排出するようにした煙突補修作業に伴う落下物の回収構造。
【請求項２】
煙突の開口部から外部の所定位置に落下物を送るコンベヤを設置した請求項１記載の煙突補修作業に伴う落下物の回収構造。
【請求項３】
煙突の開口部に扉を開閉自在に設け、同扉の内面に緩衝層を設けた構造にした請求項１又は２記載の煙突補修作業に伴う落下物の回収構造。
【請求項４】
緩衝層が厚手のゴム層である請求項１〜３いずれかに記載の煙突補修作業に伴う落下物の回収構造。
【発明の詳細な説明】
【０００１】
【発明の属する技術分野】
本発明は、煙突の内部の内壁面の耐火層補修・耐火層の張り替え・内壁面の一部切除・内壁面の表面清浄・器具取付等の作業に伴う破砕片や粉塵、すす等の落下物を確実に回収する煙突補修作業に伴う落下物の回収構造に関し、主に大型の工場・プラント・火力発電所・大型焼却炉・ボイラー等の大中型の煙突の補修作業に有用である。
【０００２】
【従来の技術】
従来、煙突は長年使用されると煙突の内壁面が劣化し、損傷した耐火層の部分補修作業が必要となったり、又数年毎に耐火層の張り替え作業を行うようにしている。これらの煙突補修作業には、煙突の内壁面の表層・耐火層を剥離・切断・研磨するため、破砕片や粉塵が多量に落下物となり、煙突の煙道の下端に落下していた。従来では、落下物を煙突内下端に止めておき、作業終了後又は、ある量になった際などに回収作業を行っていた。
しかし、破砕片などが落下して煙突内下端に当たった際の衝撃音及び振動は、非常に大きく、周囲に多大な迷惑をかけていた。また、煙突内下端からの落下物の回収を行う際には作業者が煙突内下端に入っていたが、粉塵、すす等によって非常に作業環境は悪いものであり、問題であった。
【０００３】
【発明が解決しようとする課題】
本発明が解決しようとする課題は、従来のこれらの問題点を解消し、衝撃音や振動少なく落下物を回収でき、人の手を用いないで煙突外部に落下物を排出でき、作業者が楽になり、効率的に回収作業が行える煙突補修作業に伴う落下物の回収構造を提供することにある。
【０００４】
【課題を解決するための手段】
かかる課題を解決した本発明の構成は、
１）  煙突の下端部に煙突の下端部の開口部へ誘導する傾斜した案内板を設け、同案内板の上面に緩衝層を設け、煙突内の補修作業で落下する落下物を前記緩衝層で衝突音・振動を小さくして受け止めて煙突外部に排出するようにした煙突補修作業に伴う落下物の回収構造
２）  煙突の開口部から外部の所定位置に落下物を送るコンベヤを設置した前記１）記載の煙突補修作業に伴う落下物の回収構造
３）  煙突の開口部に扉を開閉自在に設け、同扉の内面に緩衝層を設けた構造にした前記１）又は２）記載の煙突補修作業に伴う落下物の回収構造
４）  緩衝層が厚手のゴム層である前記１）〜３）いずれかに記載の煙突補修作業に伴う落下物の回収構造
にある。
【０００５】
【作用】
本発明では、煙突の補修作業に伴って落下する落下物が案内板上面に設けた緩衝層に落下して当たるようにし、落下物の落下による衝撃を衝撃板で緩衝し、衝撃音や振動を抑制する。さらに案内板を傾斜させているので落下物を自重で煙突の下方へ送り開口部より外部に排出する。
コンベヤを設置したものは、案内板によって煙突の外部に送られた補修作業に伴う落下物をコンベヤで自動的に所定の位置まで送るようにする。
煙突の開口部に扉を設けたものは、落下物が落下時に開口部から外部に飛散しないようにでき、また、扉の内面に緩衝層に設けていることによって案内板の緩衝層に当って、はね返るように扉に当たるような場合でも緩衝層によって衝撃を緩衝する。
緩衝層が厚手のゴム層であるものは、安価なゴムを用いた緩衝層となるようにする。
【０００６】
【発明の実施の形態】
本発明において緩衝層としては、ゴムや軟質な樹脂、ウレタンや発泡スチロール、布、紙質のものなどがあり、落下物の衝撃を吸収して衝撃音や振動を小さくでき、安価なものが好ましい。
案内板上面及び緩衝層上面の形状には、平面状のもの、椀状のものやガイドを設けたものなどがあり、落下した落下物がバウンドして煙突内壁に当たって大きな衝撃音を発生してしまうようなことなく、落下後にスムーズに煙突外部に移動できるものが好ましい。
【０００７】
【実施例】
本発明の実施例について、図面を参照して具体的に説明する。
図１，２に示す実施例は煙突内の煙道下部に案内板を傾斜させて設け、案内板上面に緩衝層を設け、補修作業に伴う落下物を煙道外部に排出し、排出した落下物をさらにコンベヤで所定の位置に送るようにした煙突補修作業に伴う落下物の回収構造の例である。
図１は実施例の煙突補修作業に伴う落下物の回収構造の説明図である。図２は実施例の煙突補修作業に伴う落下物の回収構造の案内板及び緩衝層の説明図である。
図中、１は案内板、２は厚手のゴム層である緩衝層、３はコンベヤ、４は排出部、６はゴンドラ、７はブレーカー装置、８はトネ、９は滑車、１０はウインチ装置、１０ａはワイヤ、１１は扉、２０は煙突、２０ａは煙突口、２０ｂは耐火層、２０ｃは鉄皮、２０ｄは煙道、２０ｅは開口部、ｓは破砕片・粉塵・すすなどの落下物、ｈは人である。
【０００８】
本実施例の煙突補修作業に伴う落下物の回収構造では、煙突２０の煙道２０ｄの下端近くに案内板１を傾斜させて設置する。
案内板１の上面には、ゴム製の緩衝層２を設ける。この案内板１を煙道２０ｄの下端近くに傾斜させて設置する。この設置の際は、煙道２０ｄの下端近くの外部へ連通する開口部２０ｅに向って斜め下方に傾斜するようにする。この案内板１と緩衝層２は、図２に示すように分割されたユニットを連結して案内板１と緩衝層２を構成するようにして、煙道２０ｄの開口部２０ｅから容易に内部に運んで組み立てられるようにしている。
さらに、案内板１の下端部分から、開口部２０ｅを通って外部に誘導する排出部４を設け、排出部４の端部の下方からさらに所定の位置まで搬送するコンベヤ３を設ける。
煙突２０の下端部の開口部２０ｅには、図１に示すように上下動で開閉が自在な扉１１を設ける。扉１１の内面には緩衝層としてゴム層を設け、扉１１の下方部分はゴム層のみからなるようにする。
【０００９】
煙突２０は、鉄皮２０ｃの内面に耐火層２０ｂを設けたものであり、耐火層２０ｂは劣化が比較的速いため、定期的に除去され新たに設ける補修作業が行われる。
補修作業を行うには、煙突２０の煙突口２０ａに近い両側の開口部２０ｅにトネ８をはし渡すようにし、トネ８には滑車９を設けるようにし、外部に設けたウインチ装置１０のワイヤ１０ａを滑車９にかけ渡して煙道２０ｄ内へターンさせ、ワイヤ１０ａに煙道内で昇降自在となるゴンドラ６を取り付ける。ゴンドラ６には耐火層２０ｂを破砕して除去するブレーカー装置７を設置する。
【００１０】
補修作業ではこのゴンドラ６を昇降させ、補修箇所の耐火層２０ｂをブレーカー装置７で破砕して除去する。ブレーカー装置７での除去作業に伴う破砕片・粉塵・すすなどは煙道２０ｄ内を落下する。
この破砕片・粉塵・すすなどの落下物ｓは、落下して案内板１に当たるが、案内板１にはゴム層である緩衝層２を設けているので、落下物ｓは緩衝層２によって落下の衝撃が緩衝され、衝撃音及び振動を小さく抑さえることができる。よって、周囲に迷惑をかけないように騒音を小さくして補修作業を行うことができる。
また、内面に緩衝層としてゴム層を有する扉１１を設けたことによって落下物ｓが緩衝層２ではね返って開口部２０ｅから外部に飛散しないようにでき、さらに扉には緩衝層としてゴム層を設けているので扉に落下物が当たっても衝撃を吸収して衝撃音や振動を小さく抑さえることができる。
緩衝層２上に落下した落下物ｓは、案内板１及びその上面に設けた緩衝層が傾斜していることにより、下方に移動し、扉１１の内面付近にためられる。適度なタイミングでこの扉１１を開くようにすると、たまった落下物ｓがさらに下方に移動し、排出部４を通って煙突２０の開口部２０ｅから外部に排出され、排出部４の下端から、さらに下方に設けられたコンベヤ３上に落下する。コンベヤ３は、駆動によって強制的に落下物ｓを所定の場所に搬送する。また、扉１１の内側に多量に落下物がたまると、扉の下部は緩衝層のみにしていることによって、落下物の重みで扉１１の下端が外側にめくれるようにして落下物が適度に排出される。これによって扉内部にたまりすぎて排出作業がうまく行かないようなことがないようにする。
このようにすれば、人が煙突の煙道内の下端部に入って落下物の排出・回収作業を行わなくて済むので、非常に作業者が楽となり、補修作業を効率的に行うことができる。
【００１１】
図３，４に示すのは実施例の煙突補修作業に伴う落下物の回収構造の案内板及び緩衝層の他の例である。
図中、１２，１４は緩衝層、１３，１５は案内板である。
図３に示す実施例の他の例では、緩衝層１２の外周縁を上方に向って折曲した形状にして、落下物ｓが緩衝層１２ではね返って側方に弾けるような際にもさらに緩衝層１２の外周縁に当たって緩衝できるようにする。
図４に示す実施例の他の例では、緩衝層１４を略椀形状にして、緩衝層１４に当たってはね返った落下物が外周方向でなく内側に向ってはね返りやすいようにしている。
【００１２】
【発明の効果】
本発明によれば、騒音少なく落下物を回収でき、人の手を用いないで煙突外部に落下物を排出でき、作業者が楽となり、効率的に回収作業を行うことができる。
コンベヤを設置したものは、さらに作業者が楽でさらに効率的に落下物の回収作業を行うことができる。
煙道の開口部に扉を設けたものは、落下物を外部に飛散させることなく、より安全にでき、扉の内部に落下物を一時的にためられるようにしてさらに効率よく回収できるようにする。
緩衝層が厚手のゴム層であるものは、コストを抑制できる。
【図面の簡単な説明】
【図１】実施例の煙突補修作業に伴う落下物の回収構造の説明図である。
【図２】実施例の煙突補修作業に伴う落下物の回収構造の案内板及び緩衝層の説明図である。
【図３】実施例の煙突補修作業に伴う落下物の回収構造の案内板及び緩衝層の他の例の説明図である。
【図４】実施例の煙突補修作業に伴う落下物の回収構造の案内板及び緩衝層の他の例の説明図である。
【符号の説明】
１  案内板
２  緩衝層
３  コンベヤ
４  排出部
６  ゴンドラ
７  ブレーカー装置
８  トネ
９  滑車
１０  ウインチ装置
１０ａ  ワイヤ
１１  扉
１２  緩衝層
１３  案内板
１４  緩衝層
１５  案内板
２０  煙突
２０ａ  煙突口
２０ｂ  耐火層
２０ｃ  鉄皮
２０ｄ  煙道
２０ｅ  開口部
ｓ  （破砕粉・粉塵・すすなどの）落下物
ｈ  人
【図１】
0003703398.tif 000002
【図２】
0003703398.tif 000003
【図３】
0003703398.tif 000004
【図４】
0003703398.tif 000005